(57)【要約】  製造コストの高騰を来すことなく光源用基板と制御基板の良好な接続状態を確保する。  複数の配線部によって構成された配線パターンをそれぞれ有する複数の光源用基板と、光源用基板に配置され制御基板によって点消灯が制御される複数の発光素子と、複数の光源用基板にそれぞれ取り付けられた基板側コネクターと、平板状の絶縁体と絶縁体の厚み方向に直交する方向に並ぶ複数の導体部とを有する多芯構造にされ一端部が制御基板に接続されたフレキシブルフラットケーブルと、フレキシブルフラットケーブルに取り付けられ基板側コネクターと結合される複数のケーブル側コネクターとを備え、配線部には、複数の光源用基板毎に、複数の導体部のうちの一部の導体部がケーブル側コネクターと基板側コネクターを介して電気的に接続された。
2020039721.tif 000002
【特許請求の範囲】
【請求項１】
複数の配線部によって構成された配線パターンをそれぞれ有する複数の光源用基板と、
前記光源用基板に配置され制御基板によって点消灯が制御される複数の発光素子と、
前記複数の光源用基板にそれぞれ取り付けられた基板側コネクターと、
平板状の絶縁体と前記絶縁体の厚み方向に直交する方向に並ぶ複数の導体部とを有する多芯構造にされ一端部が前記制御基板に接続されたフレキシブルフラットケーブルと、
前記フレキシブルフラットケーブルに取り付けられ前記基板側コネクターと結合される複数のケーブル側コネクターとを備え、
前記配線部には、前記複数の光源用基板毎に、前記複数の導体部のうちの一部の導体部が前記ケーブル側コネクターと前記基板側コネクターを介して電気的に接続された
照明装置。
【請求項２】
前記複数の光源用基板がそれぞれ長手方向を有する形状に形成され長手方向に直交する方向において離隔して配置され、
前記複数の発光素子が前記光源用基板の長手方向に離隔して配置され、
前記複数のケーブル側コネクターが前記複数の光源用基板にそれぞれ取り付けられた前記基板側コネクターに結合される
請求項１に記載の照明装置。
【請求項３】
異なる前記光源用基板にそれぞれ配置された少なくとも二つの前記発光素子が前記基板側コネクターと前記ケーブル側コネクターと前記フレキシブルフラットケーブルを介して直列に接続された
請求項１に記載の照明装置。
【請求項４】
前記ケーブル側コネクターに複数の接続端子が設けられ、
前記絶縁体には前記複数の導体部のうち一部の前記導体部を露出させる接続穴が形成され、
前記複数の接続端子のうち一部の前記接続端子が前記接続穴に挿入されることにより前記導体部に接続される
請求項１に記載の照明装置。
【請求項５】
前記ケーブル側コネクターには前記複数の導体部にそれぞれ接続される複数の接続端子が設けられ、
前記基板側コネクターには前記複数の接続端子のうち一部の接続端子に接続される少なくとも一つの電極が設けられた
請求項１に記載の照明装置。
【請求項６】
前記複数の光源用基板の前記配線パターンが異なり、
前記配線パターンが異なる前記光源用基板の前記配線部の少なくとも一つずつがそれぞれ異なる導体部に接続される
請求項１に記載の照明装置。
【請求項７】
前記フレキシブルフラットケーブルは長手方向へ行くに従って幅が変化する階段状に形成されると共に長手方向において前記制御基板に近付くに従って幅が広くなる複数の幅相違部を有し、
前記複数の幅相違部にそれぞれ前記ケーブル側コネクターが取り付けられ、
前記導体部の数が幅の広い前記幅相違部ほど多くされた
請求項１に記載の照明装置。
【請求項８】
前記複数の幅相違部に同一の構成にされた前記ケーブル側コネクターがそれぞれ取り付けられた
請求項７に記載の照明装置。
【請求項９】
表示面に画像が表示されるディスプレイと、
前記ディスプレイにおける前記表示面の反対の面側に配置されたバックシャーシと、
前記ディスプレイと前記バックシャーシの間に配置されバックライトとして機能する照明装置とを備え、
前記照明装置は、
複数の配線部によって構成された配線パターンをそれぞれ有する複数の光源用基板と、
前記光源用基板に配置され制御基板によって点消灯が制御される複数の発光素子と、
前記複数の光源用基板にそれぞれ取り付けられた基板側コネクターと、
平板状の絶縁体と前記絶縁体の厚み方向に直交する方向に並ぶ複数の導体部とを有する多芯構造にされ一端部が前記制御基板に接続されたフレキシブルフラットケーブルと、
前記フレキシブルフラットケーブルに取り付けられ前記基板側コネクターと結合される複数のケーブル側コネクターとを備え、
前記配線部には、前記複数の光源用基板毎に、前記複数の導体部のうちの一部の導体部が前記ケーブル側コネクターと前記基板側コネクターを介して電気的に接続された
表示装置。
【発明の詳細な説明】
【技術分野】
【０００１】
本技術は光源用基板に配置された発光素子の点消灯が制御基板によって制御される照明装置及びこれを備えた表示装置についての技術分野に関する。
【背景技術】
【０００２】
複数の配線部によって構成された配線パターンをそれぞれ有する複数の光源用基板と光源用基板に配置され制御基板によって点消灯が制御される複数の発光素子とを備えた照明装置がある（例えば、特許文献１参照）。【０００３】
このような照明装置は、例えば、テレビジョン受像器やパーソナルコンピューター等の表示装置に設けられている。表示装置には、画像が表示される表示面を有するディスプレイとディスプレイの背面側に配置されたバックシャーシとが設けられ、照明装置は、例えば、ディスプレイとバックシャーシの間にバックライトとして配置されている。【０００４】
特許文献１に記載された照明装置にあっては、横長の複数の光源用基板と発光素子の点消灯を制御する制御基板との接続が中継基板を介して行われており、中継基板が複数のコネクターを介してそれぞれの光源用基板と接続されている。【０００５】
ところで、上記のような照明装置において発光素子から光が出射されるときには、発光素子や光源用基板が発熱し、光源用基板等が温度変化により膨張又は収縮され、光源用基板と中継基板の間に位置ずれが生じ光源用基板と中継基板の良好な接続状態が確保されなくなるおそれがある。【０００６】
そこで、特許文献１に記載された照明装置においては、コネクターに光源用基板と中継基板の間の位置ずれを許容する位置ずれ許容手段が設けられ、位置ずれ許容手段によって光源用基板と中継基板の間の位置ずれを吸収し、光源用基板と中継基板の良好な接続状態及び中継基板を介しての光源用基板と制御基板の良好な接続状態を確保するようにしている。
【先行技術文献】
【特許文献】
【０００７】
【特許文献１】特開２０１８−９８１１２号公報
【発明の概要】
【発明が解決しようとする課題】
【０００８】
ところが、特許文献１に記載された照明装置においては、複数の光源用基板と制御基板の接続を図るために中継基板が設けられている上にコネクターに位置ずれ許容手段を設ける分、製造コストが高くなるおそれがある。【０００９】
また、コネクターに設けられた位置ずれ許容手段の許容量を光源用基板等の温度変化による膨張又は収縮に対して十分な量にするためには、コネクターの大きさを大きくする必要があり、この場合には製造コストの低減に支障を来すと共に照明装置及び表示装置の大型化を来すおそれがある。【００１０】
そこで、本技術照明装置及び表示装置は、製造コストの高騰を来すことなく光源用基板と制御基板の良好な接続状態を確保することを目的とする。
【課題を解決するための手段】
【００１１】
第１に、本技術に係る照明装置は、複数の配線部によって構成された配線パターンをそれぞれ有する複数の光源用基板と、前記光源用基板に配置され制御基板によって点消灯が制御される複数の発光素子と、前記複数の光源用基板にそれぞれ取り付けられた基板側コネクターと、平板状の絶縁体と前記絶縁体の厚み方向に直交する方向に並ぶ複数の導体部とを有する多芯構造にされ一端部が前記制御基板に接続されたフレキシブルフラットケーブルと、前記フレキシブルフラットケーブルに取り付けられ前記基板側コネクターと結合される複数のケーブル側コネクターとを備え、前記配線部には、前記複数の光源用基板毎に、前記複数の導体部のうちの一部の導体部が前記ケーブル側コネクターと前記基板側コネクターを介して電気的に接続されたものである。【００１２】
これにより、配線部には、光源用基板毎に、制御基板に接続されたフレキシブルフラットケーブルにおける複数の導体部のうちの一部の導体部がケーブル側コネクターと基板側コネクターを介して電気的に接続される。【００１３】
第２に、上記した本技術に係る照明装置においては、前記複数の光源用基板がそれぞれ長手方向を有する形状に形成され長手方向に直交する方向において離隔して配置され、前記複数の発光素子が前記光源用基板の長手方向に離隔して配置され、前記複数のケーブル側コネクターが前記複数の光源用基板にそれぞれ取り付けられた前記基板側コネクターに結合されることが望ましい。【００１４】
これにより、複数の光源用基板とフレキシブルフラットケーブルが直交する状態で配置される。【００１５】
第３に、上記した本技術に係る照明装置においては、異なる前記光源用基板にそれぞれ配置された少なくとも二つの前記発光素子が前記基板側コネクターと前記ケーブル側コネクターと前記フレキシブルフラットケーブルを介して直列に接続されることが望ましい。【００１６】
これにより、異なる光源用基板にそれぞれ配置された発光素子が同時に点消灯される。【００１７】
第４に、上記した本技術に係る照明装置においては、前記ケーブル側コネクターに複数の接続端子が設けられ、前記絶縁体には前記複数の導体部のうち一部の前記導体部を露出させる接続穴が形成され、前記複数の接続端子のうち一部の前記接続端子が前記接続穴に挿入されることにより前記導体部に接続されることが望ましい。【００１８】
これにより、接続端子が接続穴に挿入されることにより導体部に接続されて複数のうちの一部の導体部が配線部に電気的に接続される。【００１９】
第５に、上記した本技術に係る照明装置においては、前記ケーブル側コネクターには前記複数の導体部にそれぞれ接続される複数の接続端子が設けられ、前記基板側コネクターには前記複数の接続端子のうち一部の接続端子に接続される少なくとも一つの電極が設けられることが望ましい。【００２０】
これにより、接続端子に対する電極の有無により導体部と配線部の接続及び導体部と配線部の絶縁が行われるため、同一の配線パターンを有する複数の光源用基板を用いることが可能になる。【００２１】
第６に、上記した本技術に係る照明装置においては、前記複数の光源用基板の前記配線パターンが異なり、前記配線パターンが異なる前記光源用基板の前記配線部の少なくとも一つずつがそれぞれ異なる導体部に接続されることが望ましい。【００２２】
これにより、配線パターンの相違により配線部が異なる導体部に接続され、導体部と配線部の接続及び導体部と配線部の絶縁が行われるため、同一の構造にされた複数の基板側コネクターとケーブル側コネクターをそれぞれ用いることが可能になる。【００２３】
第７に、上記した本技術に係る照明装置においては、前記フレキシブルフラットケーブルは長手方向へ行くに従って幅が変化する階段状に形成されると共に長手方向において前記制御基板に近付くに従って幅が広くなる複数の幅相違部を有し、前記複数の幅相違部にそれぞれ前記ケーブル側コネクターが取り付けられ、前記導体部の数が幅の広い前記幅相違部ほど多くされることが望ましい。【００２４】
これにより、幅が異なる幅相違部に取り付けられたそれぞれのケーブル側コネクターを介してフレキシブルフラットケーブルと複数の光源用基板が電気的に接続される。【００２５】
第８に、上記した本技術に係る照明装置においては、前記複数の幅相違部に同一の構成にされた前記ケーブル側コネクターがそれぞれ取り付けられることが望ましい。【００２６】
幅が異なる幅相違部に取り付けられた同一のケーブル側コネクターを介してフレキシブルフラットケーブルと複数の光源用基板が電気的に接続される。【００２７】
第９に、上記した本技術に係る表示装置は、表示面に画像が表示されるディスプレイと、前記ディスプレイにおける前記表示面の反対の面側に配置されたバックシャーシと、前記ディスプレイと前記バックシャーシの間に配置されバックライトとして機能する照明装置とを備え、前記照明装置は、複数の配線部によって構成された配線パターンをそれぞれ有する複数の光源用基板と、前記光源用基板に配置され制御基板によって点消灯が制御される複数の発光素子と、前記複数の光源用基板にそれぞれ取り付けられた基板側コネクターと、平板状の絶縁体と前記絶縁体の厚み方向に直交する方向に並ぶ複数の導体部とを有する多芯構造にされ一端部が前記制御基板に接続されたフレキシブルフラットケーブルと、前記フレキシブルフラットケーブルに取り付けられ前記基板側コネクターと結合される複数のケーブル側コネクターとを備え、前記配線部には、前記複数の光源用基板毎に、前記複数の導体部のうちの一部の導体部が前記ケーブル側コネクターと前記基板側コネクターを介して電気的に接続されたものである。【００２８】
これにより、照明装置において、配線部には、光源用基板毎に、制御基板に接続されたフレキシブルフラットケーブルにおける複数の導体部のうちの一部の導体部がケーブル側コネクターと基板側コネクターを介して電気的に接続される。
【発明の効果】
【００２９】
本技術によれば、配線部には、光源用基板毎に、制御基板に接続されたフレキシブルフラットケーブルにおける複数の導体部のうちの一部の導体部がケーブル側コネクターと基板側コネクターを介して電気的に接続されるため、複数の光源用基板がフレキシブルフラットケーブルを介して制御基板に接続され、製造コストの高騰を来すことなく光源用基板と制御基板の良好な接続状態を確保することができる。【００３０】
尚、本明細書に記載された効果はあくまでも例示であって限定されるものではなく、他の効果があってもよい。
【図面の簡単な説明】
【００３１】
【図１】図２乃至図２５と共に本技術表示装置及び照明装置の実施の形態を示すものであり、本図は、表示装置の斜視図である。
【図２】表示装置を一部を省略して示す拡大断面図である。
【図３】バックシャーシに対する光源用基板の配置状態等を示す正面図である。
【図４】光源用基板の一部を示す正面図である。
【図５】光源用基板と基板側コネクターとケーブル側コネクターとフレキシブルフラットケーブルを示す分解斜視図である。
【図６】フレキシブルフラットケーブルの拡大断面図である。
【図７】フレキシブルフラットケーブルの一部等を示す斜視図である。
【図８】フレキシブルフラットケーブルとケーブル側コネクターの接続端子を示す斜視図である。
【図９】図１０乃至図１４と共に照明装置における電気的な接続状態の第１の例を示すものであり、本図は、光源用基板の一部を示す拡大正面図である。
【図１０】基板側コネクターとフレキシブルフラットケーブルを概念的に示す拡大正面図である。
【図１１】光源用基板とフレキシブルフラットケーブルの接続状態を概念的に示す拡大正面図である。
【図１２】別の光源用基板とフレキシブルフラットケーブルの接続状態を概念的に示す拡大正面図である。
【図１３】さらに別の光源用基板とフレキシブルフラットケーブルの接続状態を概念的に示す拡大正面図である。
【図１４】第１の配線部に接続される電極のみが設けられた基板側コネクターを示す斜視図である。
【図１５】図１６乃至図１９と共に照明装置における電気的な接続状態の第２の例を示すものであり、本図は、光源用基板の一部を示す拡大正面図である。
【図１６】基板側コネクターとフレキシブルフラットケーブルを概念的に示す拡大正面図である。
【図１７】光源用基板とフレキシブルフラットケーブルの接続状態を概念的に示す拡大正面図である。
【図１８】別の光源用基板とフレキシブルフラットケーブルの接続状態を概念的に示す拡大正面図である。
【図１９】さらに別の光源用基板とフレキシブルフラットケーブルの接続状態を概念的に示す拡大正面図である。
【図２０】フレキシブルフラットケーブルの別の形状の例を示す概念図である。
【図２１】図２２乃至図２５と共に他の光源用基板の構造を示すものであり、本図は、光源用基板がバックシャーシに取り付けられた状態を示す正面図である。
【図２２】一部を断面にして示す光源用基板の斜視図である。
【図２３】光源用基板に封入された作動液等を示す断面図である。
【図２４】流体用空間が光源用基板の上下方向において分離して形成された例を示す正面図である。
【図２５】光源用基板が横長の状態でバックシャーシに取り付けられる場合に、上下に延びる流体用空間が形成された例を示す正面図である。
【発明を実施するための形態】
【００３２】
以下に、本技術照明装置及び表示装置を実施するための形態を添付図面に従って説明する。
【００３３】
以下に示した実施の形態は、本技術表示装置を、ディスプレイに画像を表示するテレビジョン受像器に適用し、本技術照明装置を、このテレビジョン受像器に設けられた照明装置に適用したものである。
【００３４】
尚、本技術の適用範囲はテレビジョン受像器及びこれに設けられる照明装置に限られることはなく、パーソナルコンピューター等に用いられるモニター等の各種の表示装置及びこれらの各種の表示装置に設けられる照明装置に広く適用することができる。
【００３５】
以下の説明にあっては、表示装置（テレビジョン受像器）の表示面が向く方向を前方として前後上下左右の方向を示すものとする。但し、以下に示す前後上下左右の方向は説明の便宜上のものであり、本技術の実施に関しては、これらの方向に限定されることはない。
【００３６】
＜表示装置の構成＞
以下に、表示装置（テレビジョン受像器）１の構成について説明する（図１乃至図８参照）。
【００３７】
表示装置１は、例えば、横長で前後方向の厚みが薄い略矩形状に形成され（図１参照）、例えば、図示しないスタンドによって机上等の設置面に設置されたり図示しないブラケット等によって壁面に取り付けられて用いられる。
【００３８】
表示装置１は筐体２に所要の各部が配置されている（図１及び図２参照）。筐体２は前側に位置されたベゼル３と後側に位置されたバックシャーシ４とを有している。
【００３９】
ベゼル３は略矩形の枠状に形成されている。
【００４０】
バックシャーシ４は前方に開口された浅い箱状に形成されている。バックシャーシ４には、例えば、後面の中央部に制御基板５が取り付けられている。制御基板５は、例えば、後述するディスプレイへの電流の供給や後述する光源の点消灯制御を行う機能を有している。バックシャーシ４の中央部には図示しないケーブル挿通孔が形成されている。
【００４１】
バックシャーシ４には後方からリアカバー６が取り付けられている。リアカバー６は前方に開口された浅い箱状に形成され、リアカバー６によって制御基板５が閉塞される。
【００４２】
ベゼル３の内周側にはディスプレイ７が配置されている。ディスプレイ７は、例えば、ガラス基板や偏光シート等が積層されて成る液晶パネルであり、前面が画像が表示される表示面７ａとして形成されている。
【００４３】
ディスプレイ７は略矩形状に形成され、外周部以外の部分が画像が表示される表示領域として設けられている。ディスプレイ７の下端部には図示しない接続基板が設けられ、接続基板はバックシャーシ４の後面に取り付けられた制御基板５に接続されている。従って、ディスプレイ７には制御基板５から接続基板を介して電流が供給される。
【００４４】
ベゼル３の内側には枠状のホルダー８が配置されている。ホルダー８には前側から順にディスプレイ７と複数の光学シート９、９、・・・と拡散板１０が保持されている。
【００４５】
光学シート９、９、・・・は拡散板１０の前面側において積層された状態で配置されている。光学シート９、９、・・・は光の拡散機能や光の進行方向の制御等の各機能を有し、光学シート９、９、・・・によってディスプレイ７における輝度の均一性や輝度の向上等が図られる。拡散板１０は光源から出射された光を拡散してディスプレイ７における輝度の均一性を図る機能を有している。
【００４６】
拡散板１０とバックシャーシ４の間には反射シート１１が配置されている。反射シート１１には上下左右に離隔して挿通孔１１ａ、１１ａ、・・・が形成されている。
【００４７】
ベゼル３の内側には枠状のブラケット１２が配置されている。ブラケット１２はホルダー８の後側に位置されている。ブラケット１２によって反射シート１１とバックシャーシ４が保持されている。
【００４８】
拡散板１０とバックシャーシ４の間には照明装置５０が配置されている。照明装置５０は光源用基板１３、１３、・・・と発光素子１４、１４、・・・と基板側コネクター１５、１５、・・・とフレキシブルフラットケーブル１６、１６、・・・とケーブル側コネクター１７、１７、・・・を有している（図３参照）。
【００４９】
光源用基板１３、１３、・・・はバックシャーシ４の前面に、例えば、上下左右に離隔して取り付けられている。照明装置５０においては、例えば、上下に離隔して位置された六つの光源用基板１３、１３、・・・を一組Ｇとして、一組Ｇの光源用基板１３、１３、・・・が上下左右に四組並んで配置されている。光源用基板１３には配線パターン１８が形成され、配線パターン１８は第１の配線部１９、１９、・・・と第２の配線部２０、２０、・・・によって構成されている（図４参照）。
【００５０】
第１の配線部１９、１９、・・・は、一端部がそれぞれ発光素子１４、１４、・・・に接続され、他端部がそれぞれ基板側コネクター１５に接続される接続部２１、２１、・・・として設けられている。
【００５１】
第１の配線部１９、１９、・・・は光源用基板１３の上下両端部に形成され、第２の配線部２０、２０、・・・は光源用基板１３の上下方向における中央部に形成されている。
【００５２】
発光素子１４、１４、・・・は光源用基板１３の前面に左右に離隔して配置されている（図３及び図４参照）。光源用基板１３には、例えば、１０個の発光素子１４、１４、・・・が左右に等間隔に離隔して配置されている。発光素子１４としては、例えば、発光ダイオード（ＬＥＤ）が用いられている。発光素子１４は光拡散レンズ２２によって前方から覆われ、第１の配線部１９と第２の配線部２０に接続されている（図２及び図４参照）。光拡散レンズ２２は反射シート１１の挿通孔１１ａに挿通され、一部が反射シート１１から前方に突出されている。
【００５３】
光源用基板１３にはサポートピン２３、２３、・・・が取り付けられている（図２参照）。サポートピン２３は、例えば、ポリカーボネート等の透明な樹脂材料によって形成されている。サポートピン２３は光源用基板１３における第１の配線部１９、１９、・・・と第２の配線部２０、２０、・・・が形成されていない部分に取り付けられ、光源用基板１３から前方に突出されている。サポートピン２３は反射シート１１の挿通孔１１ａに挿通され、先端が拡散板１０の後面に接触可能とされ、拡散板１０の変形（撓み）を抑制して拡散板１０を保持する機能を有している。
【００５４】
基板側コネクター１５、１５、・・・はそれぞれ光源用基板１３、１３、・・・の長手方向における一端寄りの部分に取り付けられている（図５参照）。基板側コネクター１５は前後に貫通され横長の略角筒状に形成された本体２４と本体２４に取り付けられた電極２５、２５、・・・とを有している。本体２４の内部空間は結合穴２４ａとして形成され、電極２５、２５、・・・は本体２４の内周面における上下両面に左右に等間隔に並んで取り付けられている。
【００５５】
基板側コネクター１５は本体２４が光源用基板１３に取り付けられ、電極２５、２５、・・・の一端部が、例えば、半田付け等によってそれぞれ第１の配線部１９、１９、・・・に接続されている。電極２５の他端部は弾性変形可能な板バネ部２５ａとして設けられ、先端部が本体２４から前方に突出されている。
【００５６】
尚、一つの光源用基板１３にはプラス極用の第１の配線部１９、１９、・・・とマイナス極用の第１の配線部１９、１９、・・・とが、例えば、上下両端部に５本ずつ形成され、第１の配線部１９、１９、・・・は合計で１０本が形成されている。電極２５、２５、・・・は一つの光源用基板１３に形成された第１の配線部１９、１９、・・・以上の数が設けられており、一つの光源用基板１３においては、第１の配線部１９、１９、・・・にそれぞれ一つずつの電極２５、２５、・・・が接続されている。従って、基板側コネクター１５は、一つの光源用基板１３に対して、第１の配線部１９、１９、・・・に接続された電極２５、２５、・・・と第１の配線部１９、１９、・・・に接続されていない電極２５、２５、・・・とが存在する。
【００５７】
また、第２の配線部２０、２０、・・・は一つの光源用基板１３に、例えば、左右に離隔して５本が形成されている。第２の配線部２０によって隣り合う二つずつの発光素子１４、１４が直列に接続されている。
【００５８】
フレキシブルフラットケーブル１６はケーブル側コネクター１７、１７、・・・と基板側コネクター１５、１５、・・・を介して複数の光源用基板１３、１３、・・・に接続されている。一つのフレキシブルフラットケーブル１６は一組Ｇの六つの光源用基板１３、１３、・・・に接続されている（図３参照）。従って、照明装置５０には、例えば、四組に対して四つのフレキシブルフラットケーブル１６、１６、・・・が設けられ、この四つのフレキシブルフラットケーブル１６、１６がバックシャーシ４の左右方向における中央部に対応する位置において上下左右に並んで配置されている。
【００５９】
フレキシブルフラットケーブル１６はシート状に形成され、平板状の絶縁体２６と絶縁体２６の厚み方向に直交する幅方向に並ぶ複数の導体部２７、２７、・・・とを有する多芯構造にされている（図６参照）。絶縁体２６は樹脂材料によって形成され、２枚のシート状の樹脂基材が導体部２７、２７、・・・を挟んで圧着されることにより構成されている。フレキシブルフラットケーブル１６はバックシャーシ４のケーブル挿通孔を挿通され長手方向における一端部がバックシャーシ４の後面に取り付けられた制御基板５に接続されている。
【００６０】
絶縁体２６には厚み方向に開口された接続穴２６ａ、２６ａ、・・・が形成され、接続穴２６ａ、２６ａ、・・・によって導体部２７、２７、・・・のうち一部の導体部２７、２７、・・・が露出されている（図６及び図７参照）。
【００６１】
ケーブル側コネクター１７、１７、・・・はフレキシブルフラットケーブル１６に取り付けられ、フレキシブルフラットケーブル１６の長手方向において等間隔に位置されている（図５参照）。ケーブル側コネクター１７は横長の形状に形成されたベース体２８とベース体２８に取り付けられた接続端子２９、２９、・・・とを有している。ベース体２８は外形状が基板側コネクター１５における本体２４の外形状より一回り小さくされている。接続端子２９、２９、・・・はベース体２８の外周面における上下両面に左右に等間隔に並んで取り付けられている。
【００６２】
ケーブル側コネクター１７はベース体２８がフレキシブルフラットケーブル１６に取り付けられている。接続端子２９は前端部が弾性変形可能な接続バネ部２９ａとして設けられ、接続バネ部２９ａの先端部がベース体２８から前方に突出されている。ケーブル側コネクター１７がフレキシブルフラットケーブル１６に取り付けられた状態においては、接続端子２９、２９、・・・の接続バネ部２９ａ、２９ａ・・・が絶縁体２６に押し付けられ又は接続穴２６ａ、２６ａ、・・・に挿入される（図８参照）。従って、接続穴２６ａ、２６ａ、・・・に挿入された接続バネ部２９ａ、２９ａ・・・がそれぞれ導体部２７、２７、・・・に押し付けられて接続される。
【００６３】
尚、ケーブル側コネクター１７の接続端子２９、２９、・・・は基板側コネクター１５の電極２５、２５、・・・に接続されるが、電極２５、２５、・・・のうち光源用基板１３の第１の配線部１９、１９、・・・に接続されている電極２５、２５、・・・に接続される接続端子２９、２９、・・・のみがフレキシブルフラットケーブル１６の導体部２７、２７、・・・に接続されている。従って、フレキシブルフラットケーブル１６には、第１の配線部１９、１９、・・・に接続されている電極２５、２５、・・・に接続される接続端子２９、２９、・・・が押し付けられる部分にのみ、接続穴２６ａ、２６ａ、・・・が形成されている。
【００６４】
ケーブル側コネクター１７はベース体２８が結合穴２４ａに挿入されることにより基板側コネクター１５に結合される。基板側コネクター１５とケーブル側コネクター１７には、例えば、それぞれ弾性変形可能な図示しない係合部が設けられており、ベース体２８が結合穴２４ａに挿入された状態において係合部同士が係合されることにより、基板側コネクター１５とケーブル側コネクター１７の結合状態が保持される。
【００６５】
ケーブル側コネクター１７が基板側コネクター１５に結合された状態においては、基板側コネクター１５の電極２５、２５、・・・とケーブル側コネクター１７の接続端子２９、２９、・・・とが接続される。このとき接続端子２９の一部が板バネ部２５ａに押し付けられることにより板バネ部２５ａが弾性変形され、板バネ部２５ａは弾性変形された状態で接続端子２９に接続され、電極２５と接続端子２９の安定した接続状態が確保される。
【００６６】
＜照明装置における電気的な接続状態＞
次に、照明装置５０における電気的な接続状態の第１の例について説明する（図９乃至図１４参照）。尚、電気的な接続状態の第１の例において、左右方向は正面視で説明する。また、図９乃至図１３に梨子地又は黒塗りで示す部分は、電気的な接続が行われている部分を示す。
【００６７】
照明装置５０においては、上記したように、例えば、上下に離隔して位置された六つの光源用基板１３、１３、・・・を一組Ｇとして、一組Ｇの光源用基板１３、１３、・・・が上下左右に四組並んで配置されている。一組Ｇについて、例えば、上側から順に光源用基板１３Ａ、１３Ｂ、１３Ｃ、１３Ｄ、１３Ｅ、１３Ｆとすると、光源用基板１３Ａ、１３Ｂ、１３Ｃ、１３Ｄ、１３Ｅ、１３Ｆにはそれぞれ、例えば、１０個ずつの発光素子１４、１４、・・・が左右に等間隔に離隔して配置されている。
【００６８】
尚、一組Ｇの光源用基板１３、１３、・・・にはそれぞれ基板側コネクター１５、１５、・・・とケーブル側コネクター１７、１７、・・・を介して一つのフレキシブルフラットケーブル１６が接続され、各組Ｇ、Ｇ、・・・の光源用基板１３、１３、・・・と基板側コネクター１５、１５、・・・とケーブル側コネクター１７、１７、・・・とフレキシブルフラットケーブル１６の構成及び接続状態は同様にされているため、以下には、一組Ｇの光源用基板１３、１３、・・・に関する接続状態を例として説明する。
【００６９】
一つの光源用基板１３において隣り合う二つずつの発光素子１４、１４は、基板側コネクター１５及びケーブル側コネクター１７を介さずに第２の配線部２０によって直列に接続されている。
【００７０】
即ち、光源用基板１３Ａに配置された１０個の発光素子１４、１４、・・・を左側から順に発光素子１４Ａ１、１４Ａ２、１４Ａ３、・・・、１４Ａ１０とすると、発光素子１４Ａ１と発光素子１４Ａ２が第２の配線部２０によって直列に接続され、発光素子１４Ａ３と発光素子１４Ａ４が第２の配線部２０によって直列に接続され、発光素子１４Ａ５と発光素子１４Ａ６が第２の配線部２０によって直列に接続され、発光素子１４Ａ７と発光素子１４Ａ８が第２の配線部２０によって直列に接続され、発光素子１４Ａ９と発光素子１４Ａ１０が第２の配線部２０によって直列に接続されている。
【００７１】
同様に、光源用基板１３Ｂに配置された１０個の発光素子１４、１４、・・・を左側から順に発光素子１４Ｂ１、１４Ｂ２、１４Ｂ３、・・・、１４Ｂ１０とすると、発光素子１４Ｂ１と発光素子１４Ｂ２が第２の配線部２０によって直列に接続され、発光素子１４Ｂ３と発光素子１４Ｂ４が第２の配線部２０によって直列に接続され、発光素子１４Ｂ５と発光素子１４Ｂ６が第２の配線部２０によって直列に接続され、発光素子１４Ｂ７と発光素子１４Ｂ８が第２の配線部２０によって直列に接続され、発光素子１４Ｂ９と発光素子１４Ｂ１０が第２の配線部２０によって直列に接続されている。
【００７２】
以下、光源用基板１３Ｃ乃至光源用基板１３Ｆに配置された発光素子１４、１４、・・・においても、同様に、隣り合う二つずつの発光素子１４、１４が基板側コネクター１５及びケーブル側コネクター１７を介さずに第２の配線部２０によって直列に接続されている。
【００７３】
光源用基板１３Ａに形成された第１の配線部１９、１９、・・・の接続部２１、２１、・・・をそれぞれ接続部２１Ａ１、２１Ａ２、・・・、２１Ａ１０とすると、接続部２１Ａ１、２１Ａ２、・・・、２１Ａ１０をそれぞれ有する第１の配線部１９、１９、・・・はそれぞれ発光素子１４Ａ１、１４Ａ２、・・・、１４Ａ１０に接続されている。
【００７４】
光源用基板１３Ａには、例えば、上端部において左側から順に接続部２１Ａ８、２１Ａ６、２１Ａ４、２１Ａ２、２１Ａ１０が並び、下端部において左側から順に接続部２１Ａ７、２１Ａ５、２１Ａ３、２１Ａ１、２１Ａ９が並んだ状態にされている。
【００７５】
同様に、光源用基板１３Ｂに形成された第１の配線部１９、１９、・・・の接続部２１、２１、・・・を接続部２１Ｂ１、２１Ｂ２、・・・、２１Ｂ１０とすると、接続部２１Ｂ１、２１Ｂ２、・・・、２１Ｂ１０をそれぞれ有する第１の配線部１９、１９、・・・はそれぞれ発光素子１４Ｂ１、１４Ｂ２、・・・、１４Ｂ１０に接続されている。光源用基板１３Ｂには、例えば、上端部において左側から順に接続部２１Ｂ８、２１Ｂ６、２１Ｂ４、２１Ｂ２、２１Ｂ１０が並び、下端部において左側から順に接続部２１Ｂ７、２１Ｂ５、２１Ｂ３、２１Ｂ１、２１Ｂ９が並んだ状態にされている。
【００７６】
以下、光源用基板１３Ｃ乃至光源用基板１３Ｆに形成された第１の配線部１９、１９、・・・の接続部２１、２１、・・・においても、同様の順で並んだ状態にされている。
【００７７】
基板側コネクター１５は電極２５、２５、・・・が上下両側において同数ずつ左右に並んで設けられ、接続部２１、２１、・・・に応じて、例えば、七つずつが設けられている。従って、電極２５、２５、・・・は、例えば、上側に３５個が左右に並び、下側に３５個が左右に並んで設けられている。
【００７８】
同様に、ケーブル側コネクター１７も接続端子２９、２９、・・・が上下両側において、例えば、上側に３５個が左右に並び、下側に３５個が左右に並んで設けられている。
【００７９】
フレキシブルフラットケーブル１６は導体部２７、２７、・・・の数が基板側コネクター１５における電極２５、２５、・・・の数の半数以上にされている。導体部２７、２７、・・・を左側から順に導体部２７−１、２７−２、２７−３、・・・とする。
【００８０】
以上の構成において、照明装置５０における電気的な接続状態の第１の例として、主に、図１１乃至図１３に示す照明装置５０の一部を参照して具体的に説明する。
【００８１】
尚、図１１は、光源用基板１３Ａと光源用基板１３Ｂの発光素子１４Ａ９、１４Ａ１０、１４Ｂ９、１４Ｂ１０を含む部分の概念図であり、図１２は、光源用基板１３Ｃと光源用基板１３Ｄの発光素子１４Ｃ９、１４Ｃ１０、１４Ｄ９、１４Ｄ１０を含む部分の概念図であり、図１３は、光源用基板１３Ｅと光源用基板１３Ｆの発光素子１４Ｅ９、１４Ｅ１０、１４Ｆ９、１４Ｆ１０を含む部分の概念図である。
【００８２】
光源用基板１３に形成された第１の配線部１９は基板側コネクター１５の電極２５とケーブル側コネクター１７の接続端子２９を介してフレキシブルフラットケーブル１６の導体部２７に電気的に接続されている。尚、第１の配線部１９の一つの接続部２１はそれぞれ七つの電極２５、２５、・・・に接続され、これらの七つの電極２５、２５、・・・はそれぞれ接続端子２９、２９、・・・に接続されているが、七つの電極２５、２５、・・・にそれぞれ接続されている接続端子２９、２９、・・・のうち、一つの接続端子２９のみが接続穴２６ａを介して一つの導体部２７に接続されている。従って、一つの第１の配線部１９の接続部２１は基板側コネクター１５の電極２５とケーブル側コネクター１７の接続端子２９を介して一つの導体部２７に電気的に接続されている。
【００８３】
光源用基板１３Ａの上端部に形成された第１の配線部１９、１９、・・・においては、図１１に示すように、例えば、接続部２１Ａ８が導体部２７−２に、接続部２１Ａ６が導体部２７−９に、接続部２１Ａ４が導体部２７−１７に、接続部２１Ａ２が導体部２７−２４に、接続部２１Ａ１０が導体部２７−３１に電気的に接続されている。また、光源用基板１３Ａの下端部に形成された第１の配線部１９、１９、・・・においては、例えば、接続部２１Ａ７が導体部２７−１に、接続部２１Ａ５が導体部２７−８に、接続部２１Ａ３が導体部２７−１６に、接続部２１Ａ１が導体部２７−２３に、接続部２１Ａ９が導体部２７−３０に電気的に接続されている。
【００８４】
光源用基板１３Ｂの上端部に形成された第１の配線部１９、１９、・・・においては、例えば、接続部２１Ｂ８が導体部２７−３に、接続部２１Ｂ６が導体部２７−１０に、接続部２１Ｂ４が導体部２７−１８に、接続部２１Ｂ２が導体部２７−２５に、接続部２１Ｂ１０が導体部２７−３２に電気的に接続されている。また、光源用基板１３Ｂの下端部に形成された第１の配線部１９、１９、・・・においては、例えば、接続部２１Ｂ７が導体部２７−２に、接続部２１Ｂ５が導体部２７−９に、接続部２１Ｂ３が導体部２７−１７に、接続部２１Ｂ１が導体部２７−２４に、接続部２１Ｂ９が導体部２７−３１に電気的に接続されている。
【００８５】
このように第１の例においては、接続部２１Ａ８と接続部２１Ｂ７がともに導体部２７−２に電気的に接続され、接続部２１Ａ６と接続部２１Ｂ５がともに導体部２７−９に電気的に接続され、接続部２１Ａ４と接続部２１Ｂ３がともに導体部２７−１７に電気的に接続され、接続部２１Ａ２と接続部２１Ｂ１がともに導体部２７−２４に電気的に接続され、接続部２１Ａ１０と接続部２１Ｂ９がともに導体部２７−３１に電気的に接続されている。
【００８６】
従って、発光素子１４Ａ８と発光素子１４Ｂ７は導体部２７−２を介して直列に接続され、発光素子１４Ａ６と発光素子１４Ｂ５は導体部２７−９を介して直列に接続され、発光素子１４Ａ４と発光素子１４Ｂ３は導体部２７−１７を介して直列に接続され、発光素子１４Ａ２と発光素子１４Ｂ１は導体部２７−２４を介して直列に接続され、発光素子１４Ａ１０と発光素子１４Ｂ９は導体部２７−３１を介して直列に接続されている。
【００８７】
また、上記したように、照明装置５０においては、第２の配線部２０によって隣り合う二つずつの発光素子１４、１４が直列に接続されているため、四つずつの発光素子１４、１４、・・・がそれぞれ直列に接続されている。即ち、発光素子１４Ａ１と発光素子１４Ａ２と発光素子１４Ｂ１と発光素子１４Ｂ２は直列に接続され、発光素子１４Ａ３と発光素子１４Ａ４と発光素子１４Ｂ３と発光素子１４Ｂ４は直列に接続され、発光素子１４Ａ５と発光素子１４Ａ６と発光素子１４Ｂ５と発光素子１４Ｂ６は直列に接続され、発光素子１４Ａ７と発光素子１４Ａ８と発光素子１４Ｂ７と発光素子１４Ｂ８は直列に接続され、発光素子１４Ａ９と発光素子１４Ａ１０と発光素子１４Ｂ９と発光素子１４Ｂ１０は直列に接続されている。
【００８８】
光源用基板１３Ｃの上端部に形成された第１の配線部１９、１９、・・・においては、図１２に示すように、例えば、接続部２１Ｃ８が導体部２７−４に、接続部２１Ｃ６が導体部２７−１１に、接続部２１Ｃ４が導体部２７−１９に、接続部２１Ｃ２が導体部２７−２６に、接続部２１Ｃ１０が導体部２７−３３に電気的に接続されている。また、光源用基板１３Ｃの下端部に形成された第１の配線部１９、１９、・・・においては、例えば、接続部２１Ｃ７が導体部２７−１に、接続部２１Ｃ５が導体部２７−８に、接続部２１Ｃ３が導体部２７−１６に、接続部２１Ｃ１が導体部２７−２３に、接続部２１Ｃ９が導体部２７−３０に電気的に接続されている。
【００８９】
光源用基板１３Ｄの上端部に形成された第１の配線部１９、１９、・・・においては、例えば、接続部２１Ｄ８が導体部２７−５に、接続部２１Ｄ６が導体部２７−１２に、接続部２１Ｄ４が導体部２７−２０に、接続部２１Ｄ２が導体部２７−２７に、接続部２１Ｄ１０が導体部２７−３４に電気的に接続されている。また、光源用基板１３Ｄの下端部に形成された第１の配線部１９、１９、・・・においては、例えば、接続部２１Ｄ７が導体部２７−４に、接続部２１Ｄ５が導体部２７−１１に、接続部２１Ｄ３が導体部２７−１９に、接続部２１Ｄ１が導体部２７−２６に、接続部２１Ｄ９が導体部２７−３３に電気的に接続されている。
【００９０】
従って、光源用基板１３Ｃと光源用基板１３Ｄにそれぞれ配置された発光素子１４、１４、・・・において、発光素子１４Ｃ１と発光素子１４Ｃ２と発光素子１４Ｄ１と発光素子１４Ｄ２は直列に接続され、発光素子１４Ｃ３と発光素子１４Ｃ４と発光素子１４Ｄ３と発光素子１４Ｄ４は直列に接続され、発光素子１４Ｃ５と発光素子１４Ｃ６と発光素子１４Ｄ５と発光素子１４Ｄ６は直列に接続され、発光素子１４Ｃ７と発光素子１４Ｃ８と発光素子１４Ｄ７と発光素子１４Ｄ８は直列に接続され、発光素子１４Ｃ９と発光素子１４Ｃ１０と発光素子１４Ｄ９と発光素子１４Ｄ１０は直列に接続されている。
【００９１】
光源用基板１３Ｅの上端部に形成された第１の配線部１９、１９、・・・においては、図１３に示すように、例えば、接続部２１Ｅ８が導体部２７−６に、接続部２１Ｅ６が導体部２７−１３に、接続部２１Ｅ４が導体部２７−２１に、接続部２１Ｅ２が導体部２７−２８に、接続部２１Ｅ１０が導体部２７−３５に電気的に接続されている。また、光源用基板１３Ｅの下端部に形成された第１の配線部１９、１９、・・・においては、例えば、接続部２１Ｅ７が導体部２７−１に、接続部２１Ｅ５が導体部２７−８に、接続部２１Ｅ３が導体部２７−１６に、接続部２１Ｅ１が導体部２７−２３に、接続部２１Ｅ９が導体部２７−３０に電気的に接続されている。
【００９２】
光源用基板１３Ｆの上端部に形成された第１の配線部１９、１９、・・・においては、例えば、接続部２１Ｆ８が導体部２７−７に、接続部２１Ｆ６が導体部２７−１４に、接続部２１Ｆ４が導体部２７−２２に、接続部２１Ｆ２が導体部２７−２９に、接続部２１Ｆ１０が導体部２７−３６に電気的に接続されている。また、光源用基板１３Ｆの下端部に形成された第１の配線部１９、１９、・・・においては、例えば、接続部２１Ｆ７が導体部２７−６に、接続部２１Ｆ５が導体部２７−１３に、接続部２１Ｆ３が導体部２７−２１に、接続部２１Ｆ１が導体部２７−２８に、接続部２１Ｆ９が導体部２７−３５に電気的に接続されている。
【００９３】
従って、光源用基板１３Ｅと光源用基板１３Ｆにそれぞれ配置された発光素子１４、１４、・・・において、発光素子１４Ｅ１と発光素子１４Ｅ２と発光素子１４Ｆ１と発光素子１４Ｆ２は直列に接続され、発光素子１４Ｅ３と発光素子１４Ｅ４と発光素子１４Ｆ３と発光素子１４Ｆ４は直列に接続され、発光素子１４Ｅ５と発光素子１４Ｅ６と発光素子１４Ｆ５と発光素子１４Ｆ６は直列に接続され、発光素子１４Ｅ７と発光素子１４Ｅ８と発光素子１４Ｆ７と発光素子１４Ｆ８は直列に接続され、発光素子１４Ｅ９と発光素子１４Ｅ１０と発光素子１４Ｆ９と発光素子１４Ｆ１０は直列に接続されている。
【００９４】
上記のように第１の例においては、異なる光源用基板１３、１３にそれぞれ配置された二つずつの発光素子１４、１４、・・・が基板側コネクター１５とケーブル側コネクター１７とフレキシブルフラットケーブル１６を介して直列に接続されている。
【００９５】
従って、異なる光源用基板１３、１３にそれぞれ配置された発光素子１４、１４、・・・が同時に点消灯されるため、光源用基板１３、１３、・・・にそれぞれ配置された発光素子１４、１４、・・・に対する制御の自由度の向上を図ることができる。
【００９６】
また、上下左右で隣り合う四つずつの発光素子１４、１４、・・・がそれぞれ直列に接続されているため、これらの四つの発光素子１４、１４、・・・の位置が１ピクセルの形状に近付いた位置関係になる。
【００９７】
従って、画面を区画分けして発光素子の光量を区画毎に制御して各区画に表示される画像の明るさに合わせて発光素子の光量を調整する技術である所謂ローカルディミング（Local Dimming）を行う際に、特に、有用であり、画面に表示される画像のコントラストを大幅に向上させることができると共に照明装置５０における消費電力の低減を図ることができる。
【００９８】
尚、上記した第１の例においては、上下左右で隣り合う四つの発光素子１４、１４、・・・がそれぞれ直列に接続される例を示したが、直列に接続される発光素子１４の数は四つに限らず任意であり、また、直列に接続される発光素子１４、１４、・・・は何れの位置に配置された発光素子１４、１４、・・・であってもよい。また、表示装置１においては、発光素子１４、１４、・・・が直列に接続されておらず、全ての発光素子１４、１４、・・・が各別に点消灯される構成にされていてもよい。
【００９９】
また、第１の例においては、ケーブル側コネクター１７に複数の接続端子２９、２９、・・・が設けられ、フレキシブルフラットケーブル１６の絶縁体２６に一部の導体部２７、２７、・・・を露出させる接続穴２６ａ、２６ａ、・・・が形成され、接続端子２９、２９、・・・が接続穴２６ａ、２６ａ、・・・に挿入されることにより導体部２７、２７、・・・に接続される。
【０１００】
従って、接続端子２９が接続穴２６ａに挿入されることにより導体部２７に接続されて複数のうちの一部の導体部２７が第１の配線部１９に電気的に接続されるため、導体部２７と第１の配線部１９の接続及び導体部２７と第１の配線部１９の絶縁を容易に行うことができる。
【０１０１】
さらに、フレキシブルフラットケーブル１６の絶縁体２６に接続穴２６ａを形成して導体部２７と第１の配線部１９の接続及び絶縁を行うことにより、光源用基板１３、１３、・・・の配線パターン１８、１８、・・・を各光源用基板１３、１３、・・・毎に変更する必要がない。従って、同一の光源用基板１３、１３、・・・を用いて第１の配線部１９、１９、・・・と導体部２７、２７、・・・を接続することが可能になり、照明装置５０の製造コストの低減を図ることができる。
【０１０２】
尚、上記には、フレキシブルフラットケーブル１６に接続穴２６ａを形成して導体部２７と第１の配線部１９の接続及び絶縁を行う例を示したが、例えば、基板側コネクター１５に第１の配線部１９、１９、・・・と接続される位置にのみ電極２５、２５、・・・を設け、一部の電極２５、２５、・・・に接続端子２９、２９、・・・が接続される構成にすることも可能である（図１４参照）。
【０１０３】
このようにケーブル側コネクター１７に複数の導体部２７、２７、・・・にそれぞれ接続される接続端子２９、２９、・・・が設けられ、基板側コネクター１５に一部の電極２５、２５、・・・に接続される接続端子２９、２９、・・・が設けられることにより、接続端子２９、２９、・・・が電極２５、２５、・・・に接続されて導体部２７、２７、・・・のうちの一部が第１の配線部１９、１９、・・・に電気的に接続される。
【０１０４】
従って、接続端子２９に対する電極２５の有無により導体部２７と第１の配線部１９の接続及び導体部２７と第１の配線部１９の絶縁が行われるため、同一の配線パターン１８、１８、・・・を有する複数の光源用基板１３、１３、・・・を用いることが可能になり、照明装置５０の製造コストの低減を図ることができる。
【０１０５】
また、逆に、ケーブル側コネクター１７に第１の配線部１９、１９、・・・と接続されている電極２５、２５、・・・とのみ接続される位置に接続端子２９、２９、・・・を設け、一部の電極２５、２５、・・・に接続端子２９、２９、・・・が接続される構成にすることも可能である。
【０１０６】
＜電気的な接続状態における第２の例＞
次に、照明装置５０における電気的な接続状態における第２の例について説明する（図１５乃至図１９参照）。
【０１０７】
尚、以下に示す電気的な接続状態における第２の例は、上記した電気的な接続状態における第１の例と比較して、ケーブル側コネクター１７の接続端子２９、２９、・・・の全てが接続穴２６ａ、２６ａ、・・・を介してフレキシブルフラットケーブル１６の導体部２７、２７、・・・に接続されており、光源用基板１３、１３、・・・毎に配線パターン１８、１８、・・・が異なることのみが相違する。従って、第２の例については、主に、第１の例と比較して異なる部分についてのみ詳細に説明をし、その他の部分については第１の例における同様の部分に付した符号と同じ符号を付して説明は省略又は簡略する。
【０１０８】
尚、電気的な接続状態の第２の例において、左右方向は正面視で説明する。また、図１５乃至図１９に梨子地又は黒塗りで示す部分は、電気的な接続が行われている部分を示す。また、図１５乃至図１９に梨子地で示す部分は、電気的な接続が行われている部分を示す。
【０１０９】
光源用基板１３Ａに形成された第１の配線部１９、１９、・・・の接続部２１、２１、・・・をそれぞれ接続部２１Ａ１、２１Ａ２、・・・、２１Ａ１０とすると、接続部２１Ａ１、２１Ａ２、・・・、２１Ａ１０をそれぞれ有する第１の配線部１９、１９、・・・はそれぞれ発光素子１４Ａ１、１４Ａ２、・・・、１４Ａ１０に接続されている。
【０１１０】
尚、接続部２１Ａ１、２１Ａ３、２１Ａ５、２１Ａ７、２１Ａ９は共通化されている。
【０１１１】
光源用基板１３Ａには、例えば、上端部において左側から順に接続部２１Ａ８、２１Ａ６、２１Ａ４、２１Ａ２、２１Ａ１０が並び、下端部において接続部２１Ａ１、２１Ａ３、２１Ａ５、２１Ａ７、２１Ａ９が共通化されている。
【０１１２】
同様に、光源用基板１３Ｂに形成された第１の配線部１９、１９、・・・の接続部２１、２１、・・・を接続部２１Ｂ１、２１Ｂ２、・・・、２１Ｂ１０とすると、接続部２１Ｂ１、２１Ｂ２、・・・、２１Ｂ１０をそれぞれ有する第１の配線部１９、１９、・・・はそれぞれ発光素子１４Ｂ１、１４Ｂ２、・・・、１４Ｂ１０に接続されている。光源用基板１３には、例えば、上端部において左側から順に接続部２１Ｂ８、２１Ｂ６、２１Ｂ４、２１Ｂ２、２１Ｂ１０が並び、下端部において左側から順に接続部２１Ｂ７、２１Ｂ５、２１Ｂ３、２１Ｂ１、２１Ｂ９が並んだ状態にされている。
【０１１３】
以下、光源用基板１３Ｃと光源用基板１３Ｄに形成された第１の配線部１９、１９、・・・の接続部においても、それぞれ光源用基板１３Ａと光源用基板１３Ｂに形成された第１の配線部１９、１９、・・・の接続部と同様の構成にされている。また、光源用基板１３Ｅと光源用基板１３Ｆに形成された第１の配線部１９、１９、・・・の接続部においても、それぞれ光源用基板１３Ａと光源用基板１３Ｂに形成された第１の配線部１９、１９、・・・の接続部と同様の構成にされている。
【０１１４】
基板側コネクター１５は電極２５、２５、・・・が上下両側において同数ずつ左右に並んで設けられ、例えば、上側に３４個が左右に並び、下側に３４個が左右に並んで設けられている。
【０１１５】
同様に、ケーブル側コネクター１７も接続端子２９、２９、・・・が上下両側において、例えば、上側に３４個が左右に並び、下側に３４個が左右に並んで設けられている。
【０１１６】
以上の構成において、照明装置５０における電気的な接続状態の第２の例として、主に、図１７乃至図１９に示す照明装置５０の一部を参照して具体的に説明する。
【０１１７】
尚、図１７は、光源用基板１３Ａと光源用基板１３Ｂの発光素子１４Ａ９、１４Ａ１０、１４Ｂ９、１４Ｂ１０を含む部分の概念図であり、図１８は、光源用基板１３Ｃと光源用基板１３Ｄの発光素子１４Ｃ９、１４Ｃ１０、１４Ｄ９、１４Ｄ１０を含む部分の概念図であり、図１９は、光源用基板１３Ｅと光源用基板１３Ｆの発光素子１４Ｅ９、１４Ｅ１０、１４Ｆ９、１４Ｆ１０を含む部分の概念図である。
【０１１８】
光源用基板１３に形成された第１の配線部１９は基板側コネクター１５の電極２５とケーブル側コネクター１７の接続端子２９を介してフレキシブルフラットケーブル１６の導体部２７に電気的に接続されている。
【０１１９】
光源用基板１３Ａの上端部に形成された第１の配線部１９、１９、・・・においては、図１７に示すように、例えば、接続部２１Ａ８が導体部２７−１に、接続部２１Ａ６が導体部２７−２に、接続部２１Ａ４が導体部２７−３に、接続部２１Ａ２が導体部２７−４に、接続部２１Ａ１０が導体部２７−５に電気的に接続されている。また、光源用基板１３Ａの下端部に形成された第１の配線部１９、１９、・・・においては、例えば、共通化された接続部２１Ａ１、２１Ａ３、２１Ａ５、２１Ａ７、２１Ａ９が導体部２７−３２、２７−３３、２７−３４に電気的に接続されている。
【０１２０】
光源用基板１３Ｂの上端部に形成された第１の配線部１９、１９、・・・においては、例えば、接続部２１Ｂ８が導体部２７−６に、接続部２１Ｂ６が導体部２７−７に、接続部２１Ｂ４が導体部２７−８に、接続部２１Ｂ２が導体部２７−９に、接続部２１Ｂ１０が導体部２７−１０に電気的に接続されている。また、光源用基板１３Ｂの下端部に形成された第１の配線部１９、１９、・・・においては、例えば、接続部２１Ｂ７が導体部２７−１に、接続部２１Ｂ５が導体部２７−２に、接続部２１Ｂ３が導体部２７−３に、接続部２１Ｂ１が導体部２７−４に、接続部２１Ｂ９が導体部２７−５に電気的に接続されている。
【０１２１】
このように第２の例においては、接続部２１Ａ８と接続部２１Ｂ７がともに導体部２７−１に電気的に接続され、接続部２１Ａ６と接続部２１Ｂ５がともに導体部２７−２に電気的に接続され、接続部２１Ａ４と接続部２１Ｂ３がともに導体部２７−３に電気的に接続され、接続部２１Ａ２と接続部２１Ｂ１がともに導体部２７−４に電気的に接続され、接続部２１Ａ１０と接続部２１Ｂ９がともに導体部２７−５に電気的に接続されている。
【０１２２】
従って、発光素子１４Ａ８と発光素子１４Ｂ７は導体部２７−１を介して直列に接続され、発光素子１４Ａ６と発光素子１４Ｂ５は導体部２７−２を介して直列に接続され、発光素子１４Ａ４と発光素子１４Ｂ３は導体部２７−３を介して直列に接続され、発光素子１４Ａ２と発光素子１４Ｂ１は導体部２７−４を介して直列に接続され、発光素子１４Ａ１０と発光素子１４Ｂ９は導体部２７−５を介して直列に接続されている。
【０１２３】
また、照明装置５０においては、第２の配線部２０によって隣り合う二つずつの発光素子１４、１４が直列に接続されているため、四つずつの発光素子１４、１４、・・・がそれぞれ直列に接続されている。即ち、発光素子１４Ａ１と発光素子１４Ａ２と発光素子１４Ｂ１と発光素子１４Ｂ２は直列に接続され、発光素子１４Ａ３と発光素子１４Ａ４と発光素子１４Ｂ３と発光素子１４Ｂ４は直列に接続され、発光素子１４Ａ５と発光素子１４Ａ６と発光素子１４Ｂ５と発光素子１４Ｂ６は直列に接続され、発光素子１４Ａ７と発光素子１４Ａ８と発光素子１４Ｂ７と発光素子１４Ｂ８は直列に接続され、発光素子１４Ａ９と発光素子１４Ａ１０と発光素子１４Ｂ９と発光素子１４Ｂ１０は直列に接続されている。
【０１２４】
光源用基板１３Ｃの上端部に形成された第１の配線部１９、１９、・・・においては、図１８に示すように、例えば、接続部２１Ｃ８が導体部２７−１１に、接続部２１Ｃ６が導体部２７−１２に、接続部２１Ｃ４が導体部２７−１３に、接続部２１Ｃ２が導体部２７−１４に、接続部２１Ｃ１０が導体部２７−１５に電気的に接続されている。また、光源用基板１３Ｃの下端部に形成された第１の配線部１９、１９、・・・においては、例えば、共通化された接続部２１Ｃ１、２１Ｃ３、２１Ｃ５、２１Ｃ７、２１Ｃ９が導体部２７−３２、２７−３３、２７−３４に電気的に接続されている。
【０１２５】
光源用基板１３Ｄの上端部に形成された第１の配線部１９、１９、・・・においては、例えば、接続部２１Ｄ８が導体部２７−１６に、接続部２１Ｄ６が導体部２７−１７に、接続部２１Ｄ４が導体部２７−１８に、接続部２１Ｄ２が導体部２７−１９に、接続部２１Ｄ１０が導体部２７−２０に電気的に接続されている。また、光源用基板１３Ｄの下端部に形成された第１の配線部１９、１９、・・・においては、例えば、接続部２１Ｄ７が導体部２７−１１に、接続部２１Ｄ５が導体部２７−１２に、接続部２１Ｄ３が導体部２７−１３に、接続部２１Ｄ１が導体部２７−１４に、接続部２１Ｄ９が導体部２７−１５に電気的に接続されている。
【０１２６】
従って、光源用基板１３Ｃと光源用基板１３Ｄにそれぞれ配置された発光素子１４、１４、・・・において、発光素子１４Ｃ１と発光素子１４Ｃ２と発光素子１４Ｄ１と発光素子１４Ｄ２は直列に接続され、発光素子１４Ｃ３と発光素子１４Ｃ４と発光素子１４Ｄ３と発光素子１４Ｄ４は直列に接続され、発光素子１４Ｃ５と発光素子１４Ｃ６と発光素子１４Ｄ５と発光素子１４Ｄ６は直列に接続され、発光素子１４Ｃ７と発光素子１４Ｃ８と発光素子１４Ｄ７と発光素子１４Ｄ８は直列に接続され、発光素子１４Ｃ９と発光素子１４Ｃ１０と発光素子１４Ｄ９と発光素子１４Ｄ１０は直列に接続されている。
【０１２７】
光源用基板１３Ｅの上端部に形成された第１の配線部１９、１９、・・・においては、図１９に示すように、例えば、接続部２１Ｅ８が導体部２７−２１に、接続部２１Ｅ６が導体部２７−２２、接続部２１Ｅ４が導体部２７−２３に、接続部２１Ｅ２が導体部２７−２４に、接続部２１Ｅ１０が導体部２７−２５に電気的に接続されている。また、光源用基板１３Ｅの下端部に形成された第１の配線部１９、１９、・・・においては、例えば、共通化された接続部２１Ｅ１、２１Ｅ３、２１Ｅ５、２１Ｅ７、２１Ｅ９が導体部２７−３２、２７−３３、２７−３４に電気的に接続されている。
【０１２８】
光源用基板１３Ｆの上端部に形成された第１の配線部１９、１９、・・・においては、例えば、接続部２１Ｆ８が導体部２７−２６に、接続部２１Ｆ６が導体部２７−２７に、接続部２１Ｆ４が導体部２７−２８に、接続部２１Ｆ２が導体部２７−２９に、接続部２１Ｆ１０が導体部２７−３０に電気的に接続されている。また、光源用基板１３Ｆの下端部に形成された第１の配線部１９、１９、・・・においては、例えば、接続部２１Ｆ７が導体部２７−２１に、接続部２１Ｆ５が導体部２７−２２に、接続部２１Ｆ３が導体部２７−２３に、接続部２１Ｆ１が導体部２７−２４に、接続部２１Ｆ９が導体部２７−２５に電気的に接続されている。
【０１２９】
従って、光源用基板１３Ｅと光源用基板１３Ｆにそれぞれ配置された発光素子１４、１４、・・・において、発光素子１４Ｅ１と発光素子１４Ｅ２と発光素子１４Ｆ１と発光素子１４Ｆ２は直列に接続され、発光素子１４Ｅ３と発光素子１４Ｅ４と発光素子１４Ｆ３と発光素子１４Ｆ４は直列に接続され、発光素子１４Ｅ５と発光素子１４Ｅ６と発光素子１４Ｆ５と発光素子１４Ｆ６は直列に接続され、発光素子１４Ｅ７と発光素子１４Ｅ８と発光素子１４Ｆ７と発光素子１４Ｆ８は直列に接続され、発光素子１４Ｅ９と発光素子１４Ｅ１０と発光素子１４Ｆ９と発光素子１４Ｆ１０は直列に接続されている。
【０１３０】
このように第２の例においても、第１の例と同様に、異なる光源用基板１３、１３にそれぞれ配置された二つずつの発光素子１４、１４、・・・が基板側コネクター１５とケーブル側コネクター１７とフレキシブルフラットケーブル１６を介して直列に接続されている。
【０１３１】
従って、異なる光源用基板１３、１３にそれぞれ配置された発光素子１４、１４、・・・が同時に点消灯されるため、光源用基板１３、１３、・・・にそれぞれ配置された発光素子１４、１４、・・・に対する制御の自由度の向上を図ることができる。
【０１３２】
また、上下左右で隣り合う四つずつの発光素子１４、１４、・・・がそれぞれ直列に接続されているため、これらの四つの発光素子１４、１４、・・・の位置が１ピクセルの形状に近付いた位置関係になる。
【０１３３】
従って、ローカルディミングを行う際に、特に、有用であり、画面に表示される画像のコントラストを大幅に向上させることができると共に照明装置５０における消費電力の低減を図ることができる。
【０１３４】
尚、上記した第２の例においては、上下左右で隣り合う四つの発光素子１４、１４、・・・がそれぞれ直列に接続される例を示したが、直列に接続される発光素子１４の数は四つに限らず任意であり、また、直列に接続される発光素子１４、１４、・・・は何れの位置に配置された発光素子１４、１４、・・・であってもよい。また、表示装置１においては、発光素子１４、１４、・・・が直列に接続されておらず、全ての発光素子１４、１４、・・・が各別に点消灯される構成にされていてもよい。
【０１３５】
また、第２の例においては、光源用基板１３、１３、・・・毎に配線パターン１８、１８、・・・が異なり、配線パターン１８、１８、・・・の異なる光源用基板１３、１３、・・・の第１の配線部１９、１９、・・・の少なくとも一つずつが異なる導体部２７、２７、・・・に接続される。
【０１３６】
従って、配線パターン１８の相違により第１の配線部１９が異なる導体部２７に接続され、導体部２７と第１の配線部１９の接続及び導体部２７と配線部の絶縁が行われるため、同一の構造にされた複数の基板側コネクター１５、１５、・・・とケーブル側コネクター１７、１７、・・・をそれぞれ用いることが可能になり、照明装置５０の製造コストの低減を図ることができる。
【０１３７】
＜まとめ＞
以上に記載した通り、表示装置１及び照明装置５０にあっては、光源用基板１３の第１の配線部１９、１９、・・・に、光源用基板１３、１３、・・・毎に、複数の導体部２７、２７、・・・のうちの一部の導体部２７、２７、・・・がケーブル側コネクター１７と基板側コネクター１５を介して電気的に接続されている。
【０１３８】
従って、第１の配線部１９、１９、・・・には、光源用基板１３、１３、・・・毎に、制御基板５に接続されたフレキシブルフラットケーブル１６における複数の導体部２７、２７、・・・のうちの一部の導体部２７、２７、・・・がケーブル側コネクター１７と基板側コネクター１５を介して電気的に接続されるため、複数の光源用基板１３、１３、・・・がフレキシブルフラットケーブル１６を介して制御基板５に接続される。
【０１３９】
このように表示装置１及び照明装置５０にあっては、光源用基板１３、１３、・・・と制御基板５の接続を屈曲性に富むフレキシブルフラットケーブル１６によって行っているため、温度変化によって光源用基板１３、１３、・・・や制御基板５が膨張又は収縮して両者の間に位置ずれが生じた場合においても、フレキシブルフラットケーブル１６によって位置ずれが十分に吸収され、光源用基板１３、１３、・・・から制御基板５までの各接続部分の良好な接続状態が確保される。
【０１４０】
また、光源用基板１３、１３、・・・毎に複数の導体部２７、２７、・・・のうちの一部の導体部２７、２７、・・・が第１の配線部１９、１９、・・・に接続されるため、必要なフレキシブルフラットケーブル１６の数が少なくて済むと共にフレキシブルフラットケーブル１６が薄型及び安価な接続手段であり、表示装置１及び照明装置５０の小型化及び製造コストの低減に寄与する。
【０１４１】
これにより、表示装置１及び照明装置５０において、製造コストの高騰を来すことなく光源用基板１３、１３、・・・と制御基板５の良好な接続状態を確保することができる。
【０１４２】
さらに、複数の光源用基板１３、１３、・・・がフレキシブルフラットケーブル１６を介して制御基板５に接続されるため、発光素子１４、１４、・・・に対する点消灯制御を表示装置１及び照明装置５０の小型化及び製造コストの低減を図った上で行うことができる。
【０１４３】
さらにまた、複数の光源用基板１３、１３、・・・が基板側コネクター１５、１５、・・・とケーブル側コネクター１７、１７、・・・を介してフレキシブルフラットケーブル１６に接続されるため、部品点数の増大を来すことなく照明装置５０の組立を容易に行うことができると共に光源用基板１３、１３、・・・間の電気的接続を容易に行うことができる。
【０１４４】
また、複数の光源用基板１３、１３、・・・が長手方向に直交する方向において離隔して配置され、複数の発光素子１４、１４、・・・が光源用基板１３、１３、・・・の長手方向に離隔して配置され、複数のケーブル側コネクター１７、１７、・・・が光源用基板１３、１３、・・・にそれぞれ取り付けられた基板側コネクター１５、１５、・・・に結合されている。
【０１４５】
従って、複数の光源用基板１３、１３、・・・とフレキシブルフラットケーブル１６が直交する状態で配置されるため、複数の光源用基板１３、１３、・・・とフレキシブルフラットケーブル１６の配置スペースに関する省スペース化を図ることができる。
【０１４６】
＜フレキシブルフラットケーブルの別の形状＞
以下に、フレキシブルフラットケーブル１６とは別の形状の例であるフレキシブルフラットケーブル１６Ｘについて説明する（図２０参照）。
【０１４７】
フレキシブルフラットケーブル１６Ｘはケーブル側コネクター１７、１７、・・・と基板側コネクター１５、１５、・・・を介して複数の光源用基板１３、１３、・・・に接続されている。
【０１４８】
フレキシブルフラットケーブル１６Ｘはシート状に形成され、長手方向へ行くに従って左右の幅が変化する階段状に形成されている。フレキシブルフラットケーブル１６Ｘは、接続される光源用基板１３、１３、・・・の数に応じて左右の幅が異なる幅相違部１６ａ、１６ｂ、・・・、１６ｆによって構成されている。
【０１４９】
幅相違部１６ａ、１６ｂ、・・・、１６ｆに形成された導体部２７、２７、・・・の数は左右の幅の大きさに応じて形成され、最も幅の狭い幅相違部１６ａに形成された導体部２７、２７、・・・の数が最も少なくされ、最も幅の広い幅相違部１６ｆに形成された導体部２７、２７、・・・の数が最も多くされている。
【０１５０】
このようなフレキシブルフラットケーブル１６Ｘは、幅相違部１６ａ、１６ｂ、・・・、１６ｆにおいて左右の幅が広くなるに従って光源用基板１３の第１の配線部１９、１９、・・・に電気的に接続可能な導体部２７、２７、・・・の数が多くなる。
【０１５１】
照明装置５０においては、上記したように、光源用基板１３、１３、・・・毎に電気的に接続される導体部２７、２７、・・・が一部相違するため、制御基板５から遠い位置に存在する光源用基板１３に対応して位置される導体部２７、２７、・・・ほど少ない数でよい。例えば、上記した図１９の例では、光源用基板１３Ｅに対応して必要な導体部２７は導体部２７−２１〜２５の５本と導体部２７−３２〜３４の３本の合計８本であり、光源用基板１３Ｆに対応して必要な導体部２７は導体部２７−２１〜２５の５本と導体部２７−２６〜３０の５本と制御基板５に繋がる部分の導体部２７−３２〜３４の３本の合計１３本である。従って、この例では、制御基板５から遠い位置に存在する光源用基板１３に対応して位置される導体部２７、２７、・・・の数は５本ずつ不要になる。
【０１５２】
フレキシブルフラットケーブル１６Ｘは、このような構成に基づいて制御基板５から遠い位置に存在する光源用基板１３、１３、・・・に対応して位置される部分ほど導体部２７、２７、・・・の数が少なくされ、その分、左右の幅が小さくされ、制御基板５から最も遠い位置に存在する幅相違部１６ａに形成された導体部２７、２７、・・・の数が最も少なく、制御基板５に最も近い位置に存在する幅相違部１６ｆに形成された導体部２７、２７、・・・の数が最も多くされている。
【０１５３】
従って、フレキシブルフラットケーブル１６Ｘを用いることにより、光源用基板１３、１３、・・・に対する効率的な接続状態を確保することができると共にフレキシブルフラットケーブルの小型化を図ることができる。
【０１５４】
また、フレキシブルフラットケーブル１６Ｘにおいても、一部の導体部２７、２７、・・・がそれぞれケーブル側コネクター１７、１７、・・・と電気的に接続されるため、それぞれのケーブル側コネクター１７、１７、・・・には電気的に接続される導体部２７、２７、・・・の数と同数だけの接続端子２９、２９、・・・が設けられてもよい。この場合に、図２０に示すように、幅相違部１６ａ、１６ｂ、・・・、１６ｆ毎にケーブル側コネクター１７、１７、・・・の左右方向における取付位置を変更することにより、幅相違部１６ａ、１６ｂ、・・・、１６ｆ毎の導体部２７、２７、・・・との接続位置に拘わらず接続端子２９、２９、・・・を電気的に接続させることが可能になる。図２０に、幅相違部１６ａ、１６ｂ、・・・、１６ｆ毎の導体部２７、２７、・・・と接続端子２９、２９、・・・の接続位置の例を、接続位置２９ｘ、２９ｘ、・・・として示す。従って、この例では、ケーブル側コネクター１７の接続位置２９ｘにのみ接続端子２９、２９、・・・が設けられている。
【０１５５】
このようにフレキシブルフラットケーブル１６Ｘを用いる場合には、幅相違部１６ａ、１６ｂ、・・・、１６ｆ毎にケーブル側コネクター１７、１７、・・・の左右方向における取付位置を変更することにより、同一のケーブル側コネクター１７、１７、・・・を使用することが可能である。従って、導体部２７、２７、・・・との接続位置に応じて異なるケーブル側コネクター１７、１７、・・・を形成する必要がなく、照明装置５０の製造コストの低減を図ることができる。
【０１５６】
尚、フレキシブルフラットケーブル１６Ｘを用いる場合においても、全ての導体部２７、２７、・・・の数に対応した数の接続端子２９、２９、・・・が設けられたケーブル側コネクター１７（図５参照）を使用することも可能である。この場合にも、同一のケーブル側コネクター１７、１７、・・・を使用することが可能である。
【０１５７】
尚、フレキシブルフラットケーブル１６Ｘは、幅方向において湾曲した状態で使用することも可能であり、また、厚み方向において湾曲した状態で使用することも可能である。
【０１５８】
＜その他＞
次に、他の光源用基板の構造について説明する（図２１乃至図２５参照）。尚、以下に示す他の光源用基板の構造において参照する図には、説明を簡単にするために、光源用基板と発光素子を簡略化して示す。
【０１５９】
光源用基板３０、３０、・・・は長手方向が、例えば、上下方向にされた状態でバックシャーシ４に左右に離隔して取り付けられている（図２１参照）。光源用基板３０には発光素子３１、３１、・・・が上下に等間隔に離隔して配置されている。
【０１６０】
光源用基板３０の内部には上下に延びる流体用空間３０ａ、３０ａ、・・・が左右に離隔して形成されている（図２２参照）。流体用空間３０ａは光源用基板３０の、例えば、上端寄りの位置から下端寄りの位置まで形成されている。
【０１６１】
流体用空間３０ａ、３０ａ、・・・にはそれぞれ作動液３２、３２、・・・が封入されている（図２３参照）。作動液３２は、温度が上昇して一定温度になると液体から気体に変化し、温度が下降して一定温度になると気体から液体に変化する性質を有する。作動液３２は流体用空間３０ａの全体には封入されておらず、流体用空間３０ａの容積の一部に相当する量が封入されている。従って、作動液３２は液体の状態において、重力によって流体用空間３０ａの下端側の部分に封入されている。
【０１６２】
発光素子３１、３１、・・・から光が出射されるときには、発光素子３１、３１、・・・や光源用基板３０、３０、・・・が発熱し、この発熱に伴い発光素子３１、３１、・・・と光源用基板３０、３０、・・・と作動液３２、３２、・・・の温度が上昇される。作動液３２の温度が上昇されると、作動液３２が液体から気体に変化されていき、気体に変化された作動液３２が流体用空間３０ａにおいて上方へ向かって流動されていく。
【０１６３】
作動液３２が流体用空間３０ａにおいて上方へ向かって流動されていくことにより、作動液３２によって光源用基板３０と発光素子３１、３１、・・・が冷却される。
【０１６４】
従って、発光素子３１、３１、・・・の温度上昇が抑制され、発光素子３１、３１、・・・の安定した駆動状態を確保することができる。
【０１６５】
また、発光素子３１、３１、・・・における熱が分散されるため、発光素子３１、３１、・・・の大電力での駆動を行うことが可能になり、発光素子３１、３１、・・・の駆動効率の向上及び長寿命化を図ることができると共に表示装置１及び照明装置５０の低コストでの設計を行うことができる。
【０１６６】
さらに、光源用基板３０の内部に発光素子３１、３１、・・・等を冷却するための冷却液として機能する作動液３２、３２、・・・が封入されるため、光源用基板３０の外部に発光素子３１、３１、・・・等を冷却するための構造を設ける必要がなく、表示装置１及び照明装置５０の製造コストの低減及び小型化を確保した上で発光素子３１、３１、・・・の駆動効率の向上及び長寿命化を図ることができる。
【０１６７】
尚、上記には、流体用空間３０ａが光源用基板３０の上端寄りの位置から下端寄りの位置まで形成された例を示したが、例えば、流体用空間３０ａ、３０ａ、・・・が光源用基板３０の上下方向において分離して形成されていてもよい（図２４参照）。この場合に、一つの流体用空間３０ａは少なくとも一つの発光素子３１に対応する位置に形成されていることが望ましい。
【０１６８】
このように流体用空間３０ａ、３０ａ、・・・が上下方向において分離して形成されていることにより、温度が上昇して気化された作動液３２、３２、・・・のそれぞれの流動長が短くなるため、発光素子３１、３１、・・・等の冷却を迅速かつ効率的に行うことができる。
【０１６９】
また、光源用基板３０、３０、・・・が横長の状態でバックシャーシ４に取り付けられる場合に、上下に延びる流体用空間３０ａ、３０ａ、・・・が左右に離隔して形成されていてもよい（図２５参照）。
【０１７０】
この場合にも、温度が上昇して気化された作動液３２、３２、・・・のそれぞれの流動長が短くなるため、発光素子３１、３１、・・・等の冷却を迅速かつ効率的に行うことができる。
【０１７１】
尚、光源用基板３０が横長の状態でバックシャーシ４に取り付けられ上下に延びる流体用空間３０ａ、３０ａ、・・・が左右に離隔して形成された構造は、上記した光源用基板３０の構造に適用することも可能である。
【０１７２】
＜本技術＞
本技術は、以下のような構成にすることもできる。
【０１７３】
（１）
複数の配線部によって構成された配線パターンをそれぞれ有する複数の光源用基板と、
前記光源用基板に配置され制御基板によって点消灯が制御される複数の発光素子と、
前記複数の光源用基板にそれぞれ取り付けられた基板側コネクターと、
平板状の絶縁体と前記絶縁体の厚み方向に直交する方向に並ぶ複数の導体部とを有する多芯構造にされ一端部が前記制御基板に接続されたフレキシブルフラットケーブルと、
前記フレキシブルフラットケーブルに取り付けられ前記基板側コネクターと結合される複数のケーブル側コネクターとを備え、
前記配線部には、前記複数の光源用基板毎に、前記複数の導体部のうちの一部の導体部が前記ケーブル側コネクターと前記基板側コネクターを介して電気的に接続された
照明装置。
【０１７４】
（２）
前記複数の光源用基板がそれぞれ長手方向を有する形状に形成され長手方向に直交する方向において離隔して配置され、
前記複数の発光素子が前記光源用基板の長手方向に離隔して配置され、
前記複数のケーブル側コネクターが前記複数の光源用基板にそれぞれ取り付けられた前記基板側コネクターに結合される
前記（１）に記載の照明装置。
【０１７５】
（３）
異なる前記光源用基板にそれぞれ配置された少なくとも二つの前記発光素子が前記基板側コネクターと前記ケーブル側コネクターと前記フレキシブルフラットケーブルを介して直列に接続された
前記（１）又は前記（２）に記載の照明装置。
【０１７６】
（４）
前記ケーブル側コネクターに複数の接続端子が設けられ、
前記絶縁体には前記複数の導体部のうち一部の前記導体部を露出させる接続穴が形成され、
前記複数の接続端子のうち一部の前記接続端子が前記接続穴に挿入されることにより前記導体部に接続される
前記（１）から前記（３）の何れかに記載の照明装置。
【０１７７】
（５）
前記ケーブル側コネクターには前記複数の導体部にそれぞれ接続される複数の接続端子が設けられ、
前記基板側コネクターには前記複数の接続端子のうち一部の接続端子に接続される少なくとも一つの電極が設けられた
前記（１）から前記（３）の何れかに記載の照明装置。
【０１７８】
（６）
前記複数の光源用基板の前記配線パターンが異なり、
前記配線パターンが異なる前記光源用基板の前記配線部の少なくとも一つずつがそれぞれ異なる導体部に接続される
前記（１）から前記（３）の何れかに記載の照明装置。
【０１７９】
（７）
前記フレキシブルフラットケーブルは長手方向へ行くに従って幅が変化する階段状に形成されると共に長手方向において前記制御基板に近付くに従って幅が広くなる複数の幅相違部を有し、
前記複数の幅相違部にそれぞれ前記ケーブル側コネクターが取り付けられ、
前記導体部の数が幅の広い前記幅相違部ほど多くされた
前記（１）から前記（６）の何れかに記載の照明装置。
【０１８０】
（８）
前記複数の幅相違部に同一の構成にされた前記ケーブル側コネクターがそれぞれ取り付けられた
前記（７）に記載の照明装置。
【０１８１】
（９）
表示面に画像が表示されるディスプレイと、
前記ディスプレイにおける前記表示面の反対の面側に配置されたバックシャーシと、
前記ディスプレイと前記バックシャーシの間に配置されバックライトとして機能する照明装置とを備え、
前記照明装置は、
複数の配線部によって構成された配線パターンをそれぞれ有する複数の光源用基板と、
前記光源用基板に配置され制御基板によって点消灯が制御される複数の発光素子と、
前記複数の光源用基板にそれぞれ取り付けられた基板側コネクターと、
平板状の絶縁体と前記絶縁体の厚み方向に直交する方向に並ぶ複数の導体部とを有する多芯構造にされ一端部が前記制御基板に接続されたフレキシブルフラットケーブルと、
前記フレキシブルフラットケーブルに取り付けられ前記基板側コネクターと結合される複数のケーブル側コネクターとを備え、
前記配線部には、前記複数の光源用基板毎に、前記複数の導体部のうちの一部の導体部が前記ケーブル側コネクターと前記基板側コネクターを介して電気的に接続された
表示装置。
【符号の説明】
【０１８２】
１…表示装置、４…バックシャーシ、５…制御基板、７…ディスプレイ、７ａ…表示面、１３…光源用基板、１４…発光素子、１５…基板側コネクター、１６…フレキシブルフラットケーブル、１７…ケーブル側コネクター、１８…配線パターン、１９…第１の配線部、２０…第２の配線部、２５…電極、２６…絶縁体、２６ａ…接続穴、２７…導体部、２９…接続端子、５０…照明装置
【図１】
2020039721.tif 000003
【図２】
2020039721.tif 000004
【図３】
2020039721.tif 000005
【図４】
2020039721.tif 000006
【図５】
2020039721.tif 000007
【図６】
2020039721.tif 000008
【図７】
2020039721.tif 000009
【図８】
2020039721.tif 000010
【図９】
2020039721.tif 000011
【図１０】
2020039721.tif 000012
【図１１】
2020039721.tif 000013
【図１２】
2020039721.tif 000014
【図１３】
2020039721.tif 000015
【図１４】
2020039721.tif 000016
【図１５】
2020039721.tif 000017
【図１６】
2020039721.tif 000018
【図１７】
2020039721.tif 000019
【図１８】
2020039721.tif 000020
【図１９】
2020039721.tif 000021
【図２０】
2020039721.tif 000022
【図２１】
2020039721.tif 000023
【図２２】
2020039721.tif 000024
【図２３】
2020039721.tif 000025
【図２４】
2020039721.tif 000026
【図２５】
2020039721.tif 000027
【国際調査報告】
2020039721.tif 000028
2020039721.tif 000029
2020039721.tif 000030
2020039721.tif 000031